(57)【要約】      （修正有）【課題】趣向性に富む装飾が施され、しかも、装飾が損傷を受け難く且つ不衛生となり難く、飲用容器として用いた場合でも飲み易く使い易い二重構造グラスを提供する。【解決手段】内層容器と外層容器とを空隙部を介して一体化した二重構造グラスであり、内層容器と外層容器の各々の壁面に、模様・記号・文字・色彩等の模様が表示されたディスプレイ機能を有する二重構造グラスにおいて、内層容器壁面の模様と外層容器壁面の模様とが、モチーフの関連性を有する二重構造グラスである。【選択図】図１
0003131440.tif 000002
【実用新案登録請求の範囲】
【請求項１】
内層容器と外層容器とを空隙部を介して一体化した二重構造グラスであり、前記内層容器と外層容器の各々の壁面に、模様・記号・文字・色彩等の模様が表示されたディスプレイ機能を有する二重構造グラスにおいて、前記内層容器壁面の模様と前記外層容器壁面の模様とが、モチーフの関連性を有することを特徴とする二重構造グラス。
【請求項２】
前記モチーフの関連性が、
内層容器の壁面には、鳥かごが表され、前記鳥かごから一匹ないし二匹以上の鳥類が飛び立ち、飛び回る様子を表した模様が描かれており、
一方、外層容器の壁面には、植物の枝葉が表され、前記植物の枝に鳥類が止まっている模様が描かれている、
ことを特徴とする請求項１に記載の二重構造グラス。
【請求項３】
前記モチーフの関連性が、
内層容器の壁面には、飲食物が表された模様が描かれており、
一方、外層容器の壁面には、飲食用具が一ないし二以上表された模様が描かれている、
ことを特徴とする請求項１に記載の二重構造グラス。
【請求項４】
前記モチーフの関連性が、
内層容器の壁面には、動物を表した模様が描かれており、
一方、外層容器の壁面には、前記壁面を動物の収納容器と見立てるように前記収納容器の側面が描かれている、
ことを特徴とする請求項１に記載の二重構造グラス。
【請求項５】
前記モチーフの関連性が、
内層容器の壁面には、建物・木々・街路灯等によって構成される街並みの風景を表した模様が描かれており、
一方、外層容器の壁面には、前記内層容器の壁面に描かれた風景に存在するであろう動物の模様が描かれている、
ことを特徴とする請求項１に記載の二重構造グラス。
【請求項６】
内層容器の模様と外層容器の模様とが、下記（１）〜（５）の構成である異なる描写度で表示されていることを特徴とする請求項１〜５のいずれかに記載の二重構造グラス。
（１）内層容器の模様が濃色ないし強色で表示され、外層容器の模様が淡色・薄色ないし弱色で表示された構成。
（２）内層容器の模様が複雑な模様で表示され、外層容器の模様が単純な模様で表示された構成。
（３）内層容器の模様の表示が多量及び／又は大形で表示され、外層容器の模様が少量及び／又は小形で表示された構成。
（４）内層容器の模様が高明度で表示され、外層容器の模様が低明度で表示された構成。（５）上記（１）〜（４）のいずれかの表示の組合せで表示された構成。
【請求項７】
内層容器と外層容器の壁面に描かれている模様が、前記内層容器の壁面の外側面と、前記外層容器の壁面の外側面とに表示されていることを特徴とする請求項１〜６のいずれかに記載の二重構造グラス。
【請求項８】
内層容器の頂部と外層容器の頂部とが、前記内層容器と前記外層容器の頂部における空隙部の間隔と同等の又はそれ以下の幅で融着され一体化されていることを特徴とする請求項１〜７のいずれかに記載の二重構造グラス。
【考案の詳細な説明】
【技術分野】
【０００１】
本考案は、内層容器と外層容器とによって構成される二重構造を有するグラスに関し、詳しくは、趣向性に富むディスプレイ兼用の二重構造グラスに関する。
【背景技術】
【０００２】
従来より、内層容器と外層容器とを一体化した構成の二重構造グラスが知られており、かかる構成の二重構造グラスの装飾性を高める手段として、容器側面に模様・記号・文字・色彩等の模様を付すことが考えられ、種々の方法が提案されている（特許文献１〜３）。
【０００３】
特許文献１の技術は、内層容器と外層容器との間に、シート状の装飾物を挟み込むように挿入することで装飾が施されたものである。
【０００４】
特許文献２の技術は、内層容器の外側面に模様等を転写印刷等フィルム状に転写することで装飾を施したものである。
【０００５】
しかし、これらの技術では、容器の壁面に表示された模様等についての趣向性が単純で劣り、ディスプレイとしては不充分であった。また、二重構造グラスとして一般的な飲用容器として用いた場合、飲み手の口が当たる部分である上端縁に厚みが生じ、飲料が飲み難いために飲用容器に適さないという問題もあった。
【０００６】
特許文献３の技術は、外側面に複数の絵柄が表示された内層容器が、側壁に窓穴が穿設された外層容器に対して回転可能に嵌合されており、内層容器を回転させることで外層容器の窓枠から露出表示する絵柄を変えることができるものである。
【０００７】
しかし、この技術では、内層容器の回転によって生じる摩擦によって絵柄が磨耗・損傷し易いだけでなく、窓枠から入り込む水分や汚れが、内層容器と外層容器の間に侵入し易いために不衛生であるという問題がある。
【０００８】
【特許文献１】特開昭５２−１１０６００号公報
【特許文献２】特開昭５９−２８９１８号公報
【特許文献３】実開平４−１９４３３号公報
【考案の開示】
【考案が解決しようとする課題】
【０００９】
そこで、本考案の第一の課題は、趣向性に富む装飾が施され、しかも、該装飾が損傷を受け難く且つ不衛生となり難い二重構造グラスを提供することにある。
また、本考案の第二の課題は、飲用容器として用いた場合でも飲み易く使い易い二重構造グラスを提供することにある。
【課題を解決するための手段】
【００１０】
上記課題を解決する本考案は、下記構成を有する。
１．内層容器と外層容器とを空隙部を介して一体化した二重構造グラスであり、前記内層容器と外層容器の各々の壁面に、模様・記号・文字・色彩等の模様が表示されたディスプレイ機能を有する二重構造グラスにおいて、前記内層容器壁面の模様と前記外層容器壁面の模様とが、モチーフの関連性を有することを特徴とする二重構造グラス。
【００１１】
２．前記モチーフの関連性が、
内層容器の壁面には、鳥かごが表され、前記鳥かごから一匹ないし二匹以上の鳥類が飛び立ち、飛び回る様子を表した模様が描かれており、
一方、外層容器の壁面には、植物の枝葉が表され、前記植物の枝に鳥類が止まっている模様が描かれている、
ことを特徴とする請求項１に記載の二重構造グラス。
【００１２】
３．前記モチーフの関連性が、
内層容器の壁面には、飲食物が表された模様が描かれており、
一方、外層容器の壁面には、飲食用具が一ないし二以上表された模様が描かれている、
ことを特徴とする請求項１に記載の二重構造グラス。
【００１３】
４．前記モチーフの関連性が、
内層容器の壁面には、動物を表した模様が描かれており、
一方、外層容器の壁面には、前記壁面を動物の収納容器と見立てるように前記収納容器の側面が描かれている、
ことを特徴とする請求項１に記載の二重構造グラス。
【００１４】
５．前記モチーフの関連性が、
内層容器の壁面には、建物・木々・街路灯等によって構成される街並みの風景を表した模様が描かれており、
一方、外層容器の壁面には、前記内層容器の壁面に描かれた風景に存在するであろう動物の模様が描かれている、
ことを特徴とする請求項１に記載の二重構造グラス。
【００１５】
６．内層容器の模様と外層容器の模様とが、下記（１）〜（５）の構成である異なる描写度で表示されていることを特徴とする請求項１〜５のいずれかに記載の二重構造グラス。（１）内層容器の模様が濃色ないし強色で表示され、外層容器の模様が淡色・薄色ないし弱色で表示された構成。
（２）内層容器の模様が複雑な模様で表示され、外層容器の模様が単純な模様で表示された構成。
（３）内層容器の模様の表示が多量及び／又は大形で表示され、外層容器の模様が少量及び／又は小形で表示された構成。
（４）内層容器の模様が高明度で表示され、外層容器の模様が低明度で表示された構成。（５）上記（１）〜（４）のいずれかの表示の組合せで表示された構成。
【００１６】
７．内層容器と外層容器の壁面に描かれている模様が、前記内層容器の壁面の外側面と、前記外層容器の壁面の外側面とに表示されていることを特徴とする請求項１〜６のいずれかに記載の二重構造グラス。
【００１７】
８．内層容器の頂部と外層容器の頂部とが、前記内層容器と前記外層容器の頂部における空隙部の間隔と同等の又はそれ以下の幅で融着され一体化されていることを特徴とする請求項１〜７のいずれかに記載の二重構造グラス。
【考案の効果】
【００１８】
請求項１に示す考案によれば、趣向性に富む装飾が施され、しかも、該装飾が損傷を受け難く且つ不衛生となり難い二重構造グラスを提供することが可能である。
【００１９】
特に、請求項１に示す考案によれば、内層容器と外層容器の両方に模様が表示されているので、従来のように内層容器と外層容器との間にのみ模様を施した一層表示の構成に比
して、装飾性が高く、しかも内層容器の模様と外層容器の模様とを両者が関連する別なる模様等にすることによって趣向性をより高めることができる。
【００２０】
請求項２に示す考案によれば、「内層容器の壁面には、鳥かごが表され、前記鳥かごから一匹ないし二匹以上の鳥類が飛び立ち、飛び回る様子を表した模様が描かれており、一方、外層容器の壁面には、植物の枝葉が表され、前記植物の枝に鳥類が止まっている模様が描かれている」ことにより、鳥かごに閉じ込められ自由を奪われた鳥が、前記鳥かごから解き放たれ、自然の中で自由に飛び回るという物語性を有するので趣向性をより高めることができる。
【００２１】
請求項３に示す考案によれば、「内層容器の壁面には、飲食物が表された模様が描かれており、一方、外層容器の壁面には、飲食用具が一ないし二以上表された模様が描かれている」ことにより、飲食物と飲食用具という観念的共通点を有するので趣向性をより高めることができる。
【００２２】
請求項４に示す考案によれば、「内層容器の壁面には、動物を表した模様が描かれており、一方、外層容器の壁面には、前記壁面を動物の収納容器と見立てるように前記収納容器の側面が描かれている」ことにより、例えば、檻に閉じ込められた動物という物語性又は観念的共通点を有するので趣向性をより高めることができる。
【００２３】
請求項５に示す考案によれば、「内層容器の壁面には、建物・木々・街路灯等によって構成される街並みの風景を表した模様が描かれており、一方、外層容器の壁面には、前記内層容器の壁面に描かれた風景に存在するであろう動物の模様が描かれている」ことにより、人間の住む街で人間と共存する動物という物語性を有するので趣向性をより高めることができる。
【００２４】
請求項６に示す考案によれば、内側に位置する内層容器の模様が、外層容器の模様よりも明瞭に表示される構成なので、外層容器の模様に比して概して見難い内層容器の模様であっても、明瞭に認識することができる。
【００２５】
請求項７に示す考案によれば、内層容器の壁面に描かれている模様が、前記内層容器の壁面の外側面に表示されていることにより、容器の使用・洗浄の際に、模様が剥離・切除等され難いという効果がある。外層容器の壁面に描かれている模様が、前記外層容器の壁面の外側面に表示されていることにより、当該外層容器の壁面に模様を付すことが容易であり、当該容器の製造において生産スピードが向上するという効果がある。更に、内層容器と外層容器に描かれる模様が、ともに外側面に表示されていることにより、外観において、模様を視認し易いという効果がある。
【００２６】
請求項８に示す考案によれば、内層容器の頂部と外層容器の頂部とが、融着され一体化されていることにより、二重構造グラスに注がれた飲料を飲用する際に、飲み手の口が当たる部分である上端縁の厚みを抑え、飲料を飲み易くするとともに、前記内層容器と外層容器とが一体化された形状を形成するために、前記請求項１〜６に示す考案の効果と相俟って、当該容器の外観の美感が向上するという効果がある。
【考案を実施するための最良の形態】
【００２７】
添付の図面に従って、本考案に係る二重構造グラス１について詳細に説明する。
【００２８】
図１は、本考案に係る二重構造グラスの一実施例を示す正面図である。
図２は、本考案に係る二重構造グラスの一実施例を示す分解展開図である。
図３は、本考案に係る二重構造グラスのＡ−Ａ端面図である。
【００２９】
図１に示すように、本考案に係る二重構造グラス１は、内層容器１０、外層容器２０を備えており、前記内層容器１０は模様１１が、前記外層容器２０は模様２１が各々表されたものである。外層容器に取っ手を取り付け、手付きグラスとしてもよい。また、底部２６に脚を取り付け、脚付グラスとしてもよい。
【００３０】
内層容器１０は、透明ないし半透明の材料から形成されることが、美感の上では好ましいが、本考案の課題である趣向性の向上を満たすためには、不透明な材料であってもよい。
【００３１】
外層容器２０は、透明ないし半透明の材料（例えば、ガラス、合成樹脂等）から形成され、本考案に係る二重構造グラス１を側面から見た場合に、内層容器１０の模様１１を視認することができる必要がある。
【００３２】
尚、一般に、「グラス」とは、ガラス製のコップのことを示すものであるが、本考案に係る二重構造グラスは、少なくとも外層容器が透明ないし半透明であればガラス製に限定されず、合成樹脂等のこの種のグラスの材質として公知公用の材質で形成される。
【００３３】
内層容器１０と外層容器２０の材質は、透明ないし半透明のものであって、同一のものであることが特に好ましい。更に、美感が向上し、ディスプレイとしての用途を充分に果たすためには、前記内層容器１０と外層容器２０の材質が、ガラス（ソーダ石灰ガラス、クリスタルガラス、耐熱ガラス等種々のガラスを含む。）であることが好ましい。
【００３４】
次に、模様１１と模様２１のモチーフの関連性について説明する。
モチーフとは、「芸術創作の動機となる中心思想。文学・美術などで、創作の動機となった主要な思想や題材。」と定義されるが、本願においてモチーフの関連性とは、模様１１と模様２１とが、例えば、何らかの物語性があること、観念的共通点があることをいう。
【００３５】
例えば、請求項２に記載の考案のモチーフの関連性は、「内層容器の壁面には、鳥かごが表され、前記鳥かごから一匹ないし二匹以上の鳥類が飛び立ち、飛び回る様子を表した模様が描かれており、一方、外層容器の壁面には、植物の枝葉が表され、前記植物の枝に鳥類が止まっている模様が描かれている」ことであり、即ち、鳥かごに閉じ込められ自由を奪われた鳥が、前記鳥かごから解き放たれ、自然の中で自由に飛び回るという物語性を有することである。
【００３６】
例えば、請求項３に記載の考案のモチーフの関連性は、「内層容器の壁面には、飲食物が表された模様が描かれており、一方、外層容器の壁面には、飲食用具が一ないし二以上表された模様が描かれている」ことであり、即ち、飲食物と飲食用具という観念的共通点を有することである。
【００３７】
例えば、請求項４に記載の考案のモチーフの関連性は、「内層容器の壁面には、動物を表した模様が描かれており、一方、外層容器の壁面には、前記壁面を動物の収納容器と見立てるように前記収納容器の側面が描かれている」ことであり、即ち、例えば、檻に閉じ込められた動物という物語性又は観念的共通点を有することである。
【００３８】
例えば、請求項５に記載の考案のモチーフの関連性は、「内層容器の壁面には、建物・木々・街路灯等によって構成される街並みの風景を表した模様が描かれており、一方、外層容器の壁面には、前記内層容器の壁面に描かれた風景に存在するであろう動物の模様が描かれている」ことであり、即ち、人間の住む街で人間と共存する動物という物語性を有することである。
【００３９】
次に、内層容器の模様１１又は外層容器の模様２１の表示位置について説明する。
【００４０】
模様１１又は模様２１の表示位置は、各々内層容器の壁面１２又は外層容器の壁面２２であれば、当該各々の壁面の内側面１３・２３であっても、外側面１４・２４であってもよい。但し、本考案に係る二重構造グラス１の使用・洗浄の際に模様が剥離・切除等され難いという効果、前記二重構造グラス１の製造において生産スピードが向上するという効果、更には、前記二重構造グラスを外観から認識した場合に模様を視認し易いという効果を考慮すれば、前記模様１１は前記壁面１２の外側面１４に、前記模様２１は前記壁面２２の外壁面２４に表示されることが特に好ましい。
【００４１】
模様１１・２１の表示方法として、図２に示すように、転写シートを用いた転写手段によって模様表示を行うことができるが、本考案はこれに限定されず、この種のグラス類への模様表示手段や絵付け手段として公知公用の手段を特別の制限無く採ることができ、例えば、模様を有するシール材の貼着・融着・手書き・型絵による吹き付け等の手段によって模様を表示することもできる。
【００４２】
また、内層容器１０の模様１１は、外層容器２０の模様２１よりも明瞭に表示するように異なる描写度で表示されていることが好ましい。内側に位置する模様１１を、外側に位置する模様２１よりも明瞭に表示することにより、外層容器２０の模様２１に比して概して見難い内層容器１０の模様１１が明瞭になる。異なる描写度で表示するには、例えば、下記（１）〜（５）に示すような構成を採ることができる。
（１）内層容器１０の模様１１が濃色ないし強色で表示され、外層容器２０の模様２１が淡色ないし弱色で表示された構成。即ち、内側の模様１１を外側の表示２１に比して強い表示とすることで、内側の模様１１を見え易くする。
（２）内層容器１０の模様１１が複雑な模様で表示され、外層容器２０の模様２１が単純な模様で表示された構成。即ち、外側の模様２１を単純な模様とすることで、内側の模様１１を見え易くする。
（３）内層容器１０の模様１１の表示が多量及び／又は大形で表示され、外層容器２０の模様２１が少量及び／又は小形で表示された構成。即ち、内側の模様１１を外側の模様２１に比して多くしたり大きくしたりすることで、内側の模様１１を見え易くする。
（４）内層容器１０の模様１１が高明度で表示され、外層容器２０の模様２１が低明度で表示された構成。即ち、内側の模様１１を外側の模様２１に比して明るい表示とすることで、内側の模様１１を見え易くする。
（５）上記（１）〜（４）のいずれかの表示の組合せで表示された構成。
【００４３】
次に、前記内層容器１０と外層容器２０の融着について説明する。
【００４４】
本考案に係る二重構造グラス１に注がれた飲料を飲用する際に、飲み手の口が当たる部分である上端縁３１の厚みを抑え、飲料を飲み易くするとともに、前記二重構造グラス１の外観の美感が向上するという効果を考慮すると、内層容器の頂部１５と外層容器の頂部２５とが一体化され、更には、前記内層容器の頂部１５と外層容器の頂部２５における空隙部の間隔と同等の又はそれ以下の幅で融着されていることが好ましい。
【００４５】
最後に、本考案に係る二重構造グラスの製造方法について、ガラス製である場合の一例を説明する（図２参照）。
【００４６】
先ず、所定の型にガラスを吹き込むことによって、内層容器１０を製造する。製造方法は、公知公用技術を利用し、手ふき又は機械の別を問わない。従って、型を使用しない宙吹きや金型成形によって製造してもよい。
また、前記内層容器の頂部１５は、後述する「内層容器の頂部１５と外層容器の頂部２５の水平位置を合わせ、ともに口焼きし、融着する」過程において、前記内層容器１０が、外層容器２０の底部まで脱落することを防止するため、上方に向かって径が漸増するテーパー状の形状、又は前記外層容器頂部２５に前記内層容器頂部１５が載置されるような出っ張りを有する形状で形成してもよい。
【００４７】
内層容器の底部１６に残された吹き込み跡を焼き切る（火切り）。
【００４８】
内層容器１０の外側面１４に、模様１１を施す。
【００４９】
次に、前記内層容器１０の場合と同様に、外層容器２０を製造する。
【００５０】
内層容器１０を、外層容器２０の口部から内部に入れ子状に挿入し、内層容器の頂部１５と外層容器の頂部２５の水平位置を合わせ、ともに口焼きし、融着する。この際、飲み手の口が当たる部分である融着部３０の上端縁３１の厚みを抑え飲料を飲み易くするため、前記内層容器１０と前記外層容器２０の各々の頂部における空隙部３２の間隔と同等の又はそれ以下の幅で融着することが好ましい。
【００５１】
外層容器の底部２６に残された吹き込み跡を焼き切る（火切り）。
【００５２】
上記過程で形成された二重構造グラスを時間をかけて冷却する（除冷）。この際、冷却によって空隙部の気圧が低下し、グラスに割れが生じるのを防ぐため、前記外層容器の底部２６に孔を空けてから冷やしてもよい。
【００５３】
外層容器２０の外側面２４に、模様２１を施す。
【００５４】
除冷のために空けた孔を塞ぐ。
【図面の簡単な説明】
【００５５】
【図１】本考案に係る二重構造グラスの一実施例を示す正面図
【図２】本考案に係る二重構造グラスの一実施例を示す分解展開図
【図３】本考案に係る二重構造グラスのＡ−Ａ端面図
【符号の説明】
【００５６】
１    二重構造グラス
１０  内層容器
１１  内層容器の模様
１２  内層容器の壁面
１３  内層容器の壁面の内側面
１４  内層容器の壁面の外側面
１５  内層容器の頂部
１６  内層容器の底部
２０  外層容器
２１  外層容器の模様
２２  外層容器の壁面
２３  外層容器の壁面の内側面
２４  外層容器の壁面の外側面
２５  外層容器の頂部
２６  外層容器の底部
３０  融着部
３１  上端縁
３２  空隙部
【図１】
0003131440.tif 000003
【図２】
0003131440.tif 000004
【図３】
0003131440.tif 000005